(57)【要約】【課題】吸収性物品と着用者の身体との隙間を作りにくくする。【解決手段】吸収性本体（１０）と、吸収性本体（１０）の一方側の端部に配置された腹側部材（３）と、他方側の端部に配置された背側部材（４）と、を備え、上下方向を有する吸収性物品（１）であって、吸収性本体（１０）は、両側端部に一対の防漏壁（５０）を有し、防漏壁（５０）は、それぞれ、複数の弾性部材（５５）を備えた肌側部（５１）と非肌側部（５２）とを有し、肌側部（５１）と非肌側部（５２）との互いに対向する対向面同士の少なくとも一部が接合された接合部（６１）と、接合部（６１）よりも上方に設けられ、対向面同士が接合されていない非接合部（６２）とを備え、接合部（６１）は、幅方向において、防漏壁（５０）の先端よりも内側に設けられており、上下方向において、接合部（６１）の少なくとも一部が、腹側部材（３）又は背側部材（４）と重なっている。 【選択図】図２
2017217136.tif 000002
【特許請求の範囲】
【請求項１】
互いに交差する長手方向と幅方向と厚さ方向を有する吸収性本体と、
前記吸収性本体の一方側の端部に配置された腹側部材と、
前記吸収性本体の他方側の端部に配置された背側部材と、を備え、上下方向を有する吸収性物品であって、
前記吸収性本体は、両側端部に一対の防漏壁を有しており、
前記一対の防漏壁は、それぞれ、複数の弾性部材を備えた肌側部と、前記肌側部より非肌側に配置された非肌側部とを有し、
前記肌側部と前記非肌側部との互いに対向する対向面同士の少なくとも一部が接合された接合部と、
前記上下方向において前記接合部よりも上方に設けられ、前記対向面同士が接合されていない非接合部とを備え、
前記接合部は、前記幅方向において、前記防漏壁の先端よりも内側に設けられており、
前記上下方向において、前記接合部の少なくとも一部が、前記腹側部材又は前記背側部材と重なっていることを特徴とする吸収性物品。
【請求項２】
請求項１に記載の吸収性物品であって、
前記上下方向において、前記接合部の少なくとも一部が、前記腹側部材及び背側部材とそれぞれ重なっていることを特徴とする吸収性物品。
【請求項３】
請求項２に記載の吸収性物品であって、
前記上下方向において、
前記腹側部材の長さより前記背側部材の方が長く、
前記接合部と前記腹側部材が重なっている領域の長さより、
前記接合部と前記背側部材が重なっている領域の長さの方が、長いことを特徴とする吸収性物品。
【請求項４】
請求項１から３のいずれか１項に記載の吸収性物品であって、
前記吸収性本体の前記一方側の端部には、前記吸収性本体と前記腹側部材とが接着された腹側接着領域を有しており、
前記吸収性本体の前記他方側の端部には、前記吸収性本体と前記背側部材とが接着された背側接着領域を有しており、
前記腹側部材の下端が前記腹側接着領域よりも下方に位置していること、又は、
前記背側部材の下端が前記背側接着領域よりも下方に位置していることを特徴とする吸収性物品。
【請求項５】
請求項４に記載の吸収性物品であって、
前記上下方向において、前記腹側接着領域の下端から前記腹側部材の下端までの領域には、腹側弾性部材が配置されていないこと、又は、
前記上下方向において、前記背側接着領域の下端から前記背側部材の下端までの領域には、背側弾性部材が配置されていないことを特徴とする吸収性物品。
【請求項６】
請求項１から５のいずれか１項に記載の吸収性物品であって、
前記吸収性本体は、前記腹側部材及び前記背側部材より肌側に設けられており、
前記吸収性本体の前記一方側の端部には、前記吸収性本体と前記腹側部材とが接着された腹側接着領域を有しており、
前記吸収性本体の前記他方側の端部には、前記吸収性本体と前記背側部材とが接着された背側接着領域を有しており、
前記幅方向において、
前記腹側接着領域が、前記吸収性本体の両側端より内側に位置していること、又は、
前記背側接着領域が、前記吸収性本体の両側端より内側に位置していることを特徴とする吸収性物品。
【請求項７】
請求項１から６のいずれか１項に記載の吸収性物品であって、
前記一方側の前記非接合部の少なくとも一部が、前記腹側部材に設けられ、前記幅方向に沿った複数の腹側弾性部材のうちの最も下方に位置する前記腹側弾性部材より下方に位置していること、又は、
前記他方側の前記非接合部の少なくとも一部が、前記背側部材に設けられ、前記幅方向に沿った複数の背側弾性部材のうち最も下方に位置する前記背側弾性部材より下方に位置していることを特徴とする吸収性物品。
【請求項８】
請求項１から７のいずれか１項に記載の吸収性物品であって、
前記吸収性本体は、前記一方側及び前記他方側のうちの少なくともいずれかの側に、前記吸収性本体の下部よりも剛性の高い高剛性領域を有しており、
前記上下方向において、
前記接合部の前記いずれかの側の端部と前記高剛性領域の少なくとも一部とが重なっていることを特徴とする吸収性物品。
【発明の詳細な説明】
【技術分野】
【０００１】
本発明は、吸収性物品に関する。
【背景技術】
【０００２】
従来、パンツ型等の使い捨ておむつが使用されている。特許文献１には、吸収コア１２を備えた本体（吸収性本体）の幅方向の両側に防漏カフ（防漏壁）４０Ａが形成された使い捨ておむつ１が開示されている。この使い捨ておむつ１の防漏カフ４０Ａを起立した状態にさせることによって排泄物の漏れを防止している。
【先行技術文献】
【特許文献】
【０００３】
【特許文献１】特開２００５−２１８８７６号
【発明の概要】
【発明が解決しようとする課題】
【０００４】
しかし、特許文献１の使い捨ておむつ１では、吸収コア１２が排泄物を吸収すると、本体が重くなり、本体が下側に垂れさがってしまう。これにより、防漏カフ４０Ａと着用者の身体に隙間が生じて、レッグ開口部９から排泄物が外側に漏れてしまう恐れを生じてしまう。
【０００５】
本発明は、上記のような問題に鑑みてなされたものであって、着用者の身体に当接させる、防漏壁同士を接合することによって先端部に形成された平面状部分の状態を維持しやすくし、吸収性物品と着用者の身体との隙間を作りにくくして、排泄物が外部に漏れてしまう恐れを軽減することにある。
【課題を解決するための手段】
【０００６】
上記目的を達成するための主たる発明は、互いに交差する長手方向と幅方向と厚さ方向を有する吸収性本体と、前記吸収性本体の一方側の端部に配置された腹側部材と、前記吸収性本体の他方側の端部に配置された背側部材と、を備え、上下方向を有する吸収性物品であって、前記吸収性本体は、両側端部に一対の防漏壁を有しており、前記一対の防漏壁は、それぞれ、複数の弾性部材を備えた肌側部と、前記肌側部より非肌側に配置された非肌側部とを有し、前記肌側部と前記非肌側部との互いに対向する対向面同士の少なくとも一部が接合された接合部と、前記上下方向において前記接合部よりも上方に設けられ、前記対向面同士が接合されていない非接合部とを備え、前記接合部は、前記幅方向において、前記防漏壁の先端よりも内側に設けられており、前記上下方向において、前記接合部の少なくとも一部が、前記腹側部材又は前記背側部材と重なっていることを特徴とする吸収性物品である。
本発明の他の特徴については、本明細書及び添付図面の記載により明らかにする。
【発明の効果】
【０００７】
本発明によれば、吸収性本体が排泄物を吸収して重たくなった場合でも、着用者の身体に当接させる、防漏壁同士を接合することによって先端部に形成された平面状の部分の状態を維持しやすくし、吸収性物品と着用者の身体との隙間を作りにくくして、排泄物が外部に漏れてしまう恐れを軽減することができる。
【図面の簡単な説明】
【０００８】
【図１】図１は、第１実施形態のおむつ１を腹側から見た概略正面図である。
【図２】図２は、おむつ１の展開且つ伸長状態の平面図である。
【図３】図３は、図２中のＸ−Ｘ断面図である。
【図４】図４Ａは、図２中のＡ−Ａ断面図である。図４Ｂは、図２中のＢ−Ｂ断面図である。図４Ｃは、図２中のＣ−Ｃ断面図である。
【図５】図５は、防漏壁５０を展開且つ伸長状態にした吸収性本体１０の平面図である。
【図６】図６は、図４Ｃの領域Ｄについて説明する図である。
【図７】図７Ａは、排泄が行われる前のおむつ１の着用状態について説明する図である。図７Ｂは、排泄が行われた後のおむつ１の着用状態について説明する図である。
【図８】図８Ａは、排泄が行われる前のおむつ１００（比較例）の着用状態について説明する図である。図８Ｂは、排泄が行われた後のおむつ１００（比較例）の着用状態について説明する図である。
【図９】図９Ａは、着用状態におけるおむつ１の幅方向の腹側中央断面の一部を説明する図である。図９Ｂは、着用状態におけるおむつ１の幅方向の背側中央断面の一部を説明する図である。
【図１０】図１０は、第２実施形態のおむつ２の展開且つ伸長状態の平面図である。
【発明を実施するための形態】
【０００９】
本明細書及び添付図面の記載により、少なくとも以下の事項が明らかとなる。
互いに交差する長手方向と幅方向と厚さ方向を有する吸収性本体と、前記吸収性本体の一方側の端部に配置された腹側部材と、前記吸収性本体の他方側の端部に配置された背側部材と、を備え、上下方向を有する吸収性物品であって、前記吸収性本体は、両側端部に一対の防漏壁を有しており、前記一対の防漏壁は、それぞれ、複数の弾性部材を備えた肌側部と、前記肌側部より非肌側に配置された非肌側部とを有し、前記肌側部と前記非肌側部との互いに対向する対向面同士の少なくとも一部が接合された接合部と、前記上下方向において前記接合部よりも上方に設けられ、前記対向面同士が接合されていない非接合部とを備え、前記接合部は、前記幅方向において、前記防漏壁の先端よりも内側に設けられており、前記上下方向において、前記接合部の少なくとも一部が、前記腹側部材又は前記背側部材と重なっていることを特徴とする吸収性物品である。
【００１０】
このような吸収性物品によれば、吸収性物品の上下方向において、腹側部材又は背側部材と、防漏壁の接合部の少なくとも一部が重なっているため、吸収性本体が排泄物を吸収して重たくなった場合でも、着用者の身体に当接させる、防漏壁同士を接合することによって先端部に形成された平面状の部分の状態を維持しやすくし、吸収性物品と着用者の身体との隙間を作りにくくして、排泄物が外部に漏れてしまう恐れを軽減することができる。
【００１１】
かかる吸収性物品であって、前記上下方向において、前記接合部の少なくとも一部が、前記腹側部材及び背側部材とそれぞれ重なっていることが望ましい。
【００１２】
このような吸収性物品によれば、吸収性本体が重たくなった場合でも、身体に当接させる防漏壁の平面状部分の状態をより維持しやすくし、吸収性物品と身体との隙間を作りにくくして排泄物が外部に漏れてしまう恐れをより軽減することができる。
【００１３】
かかる吸収性物品であって、前記上下方向において、前記腹側部材の長さより前記背側部材の方が長く、前記接合部と前記腹側部材が重なっている領域の長さより、前記接合部と前記背側部材が重なっている領域の長さの方が、長いことが望ましい。
【００１４】
このような吸収性物品によれば、臀部を覆う必要がある背側部材の上下方向の長さ方を、腹側部材の上下方向の長さよりも長くしたとき、上下方向において、接合部と腹側部材が重なっている領域の長さより、接合部と背側部材が重なっている領域の長さを長くすることで、吸収性本体が重くなった場合でも、身体に当接させる防漏壁の平面状部分の状態をより維持しやすくし、吸収性物品と身体との隙間を作りにくくして排泄物が外部に漏れてしまう恐れをより軽減することができる。
【００１５】
かかる吸収性物品であって、前記吸収性本体の前記一方側の端部には、前記吸収性本体と前記腹側部材とが接着された腹側接着領域を有しており、前記吸収性本体の前記他方側の端部には、前記吸収性本体と前記背側部材とが接着された背側接着領域を有しており、前記腹側部材の下端が前記腹側接着領域よりも下方に位置していること、又は、前記背側部材の下端が前記背側接着領域よりも下方に位置していることが望ましい。
【００１６】
このような吸収性物品によれば、腹側部材の下端部又は背側部材の下端部が、吸収性本体と接着されていないため、着用者が吸収性物品を着用し、さらに衣服を着用すると、腹側部材の下端部又は背側部材の下端部が、衣服と接触して上方に折り返されることがある。吸収性物品及び衣服を着用して、排泄物を吸収した吸収性本体の重量が増した場合でも、腹側部材又は背側部材の折り返された部分によって吸収性物品が下方向へ落ちる恐れが軽減され、着用者の身体に当接する防漏壁の平面状部分の状態をより維持することができる。
【００１７】
かかる吸収性物品であって、前記上下方向において、前記腹側接着領域の下端から前記腹側部材の下端までの領域には、腹側弾性部材が配置されていないこと、又は、前記上下方向において、前記背側接着領域の下端から前記背側部材の下端までの領域には、背側弾性部材が配置されていないことが望ましい。
【００１８】
このような吸収性物品によれば、折り返される腹側部材の下端部又は折り返される背側部材の下端部が、腹側弾性部材又は背側弾性部材によって収縮される恐れを軽減し、腹側部材及び背側部材の折り返された部分によって吸収性物品が下方向へ落ちる恐れをより軽減することができる。
【００１９】
かかる吸収性物品であって、前記吸収性本体は、前記腹側部材及び前記背側部材より肌側に設けられており、前記吸収性本体の前記一方側の端部には、前記吸収性本体と前記腹側部材とが接着された腹側接着領域を有しており、前記吸収性本体の前記他方側の端部には、前記吸収性本体と前記背側部材とが接着された背側接着領域を有しており、前記幅方向において、前記腹側接着領域が、前記吸収性本体の両側端より内側に位置していること、又は、前記背側接着領域が、前記吸収性本体の両側端より内側に位置していることが望ましい。
【００２０】
このような吸収性物品によれば、吸収性本体の側端部と、腹側部材又は背側部材が接合されていないため、吸収性物品における脚回り開口での着用者の脚の可動域を広く維持することができる。
【００２１】
かかる吸収性物品であって、前記一方側の前記非接合部の少なくとも一部が、前記腹側部材に設けられ、前記幅方向に沿った複数の腹側弾性部材のうちの最も下方に位置する前記腹側弾性部材より下方に位置していること、又は、前記他方側の前記非接合部の少なくとも一部が、前記背側部材に設けられ、前記幅方向に沿った複数の背側弾性部材のうち最も下方に位置する前記背側弾性部材より下方に位置していることが望ましい。
【００２２】
このような吸収性物品によれば、防漏壁同士を接合することによって先端部に形成された平面状の部分が腹側弾性部材又は背側弾性部材によって縮められる恐れを軽減させることができるため、着用者の身体に当接させる状態をより維持しやすくし、吸収性物品と着用者の身体との隙間を作りにくくすることができる。
【００２３】
かかる吸収性物品であって、前記吸収性本体は、前記一方側及び前記他方側のうちの少なくともいずれかの側に、前記吸収性本体の下部よりも剛性の高い高剛性領域を有しており、前記上下方向において、前記接合部の前記いずれかの側の端部と前記高剛性領域の少なくとも一部とが重なっていることが望ましい。
【００２４】
このような吸収性物品によれば、上下方向において、吸収性本体の高剛性領域と接合部の端部とが重なっていることによって、腹側部材又は背側部材が有する弾性部材による伸縮を軽減させることができ、着用者の身体に当接させる、防漏壁同士を接合することによって先端部に形成された平面状部分の状態をより維持しやすくできる。
【００２５】
＝＝＝第１実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、第１実施形態のおむつ１を腹側から見た概略正面図である。図２は、おむつ１の展開且つ伸長状態の平面図であり、図３は、図２中のＸ−Ｘ断面図である。なお、図２における「伸長状態」とは、製品（おむつ１）を皺なく伸長させた状態、具体的には、おむつ１を構成する各部材（例えば、後述するバックシート１４等）の寸法がその部材単体の寸法と一致又はそれに近い長さになるまで伸長した状態のことを言う。また、図３では便宜上厚さ方向における縮尺を変えている。
【００２６】
このおむつ１は、図１のパンツ型の状態において、互いに直交する三方向として上下方向と幅方向と前後方向とを有している。そして、以下では、このパンツ型の状態における前後方向の前側及び後側のことを、それぞれ「腹側」及び「背側」とも言う。
【００２７】
一方、図２の展開状態においては、おむつ１は、互いに直交する三方向として長手方向と幅方向とを有している。そして、以下では、この展開状態における長手方向の「一方側」及び「他方側」のことを、それぞれ「腹側」及び「背側」とも言う。なお、展開状態における幅方向は、パンツ型の状態における幅方向と同じ方向である。また、展開状態の長手方向は、パンツ型の状態の上下方向に沿った方向である。また、図３、図４Ａ〜図４Ｃに示すように、上下方向（長手方向）及び幅方向と直交する方向を「厚さ方向」とし、着用対象者の肌と当接する側を「肌側」とし、その反対側を「非肌側」とする。
【００２８】
また、おむつ１は、長手方向において腹側部材３と、背側部材４と、吸収性本体１０とを有する。腹側部材３は、着用者の腹側を覆う部材であり、背側部材４は、着用者の背側を覆う部材であり、吸収性本体１０は、着用者の股下に配置され排泄物を吸収する部材である。図２の展開状態において、腹側部材３と背側部材４は、互いに間隔を空けて平行に並んだ状態において、腹側部材３と背側部材４の間に吸収性本体１０が架け渡されている。
【００２９】
おむつ１は、図２の展開状態から、吸収性本体１０の長手方向（上下方向）の所定位置ＣＬ１０を折り位置として吸収性本体１０が二つ折りされるとともに、二つ折りの状態において互いに対向する腹側部材３及び背側部材４が側端部３ｅｓ及び側端部４ｅｓにて溶着等で接合されると、腹側部材３、背側部材４同士が環状に繋がって、図１に示すような胴回り開口ＢＨ及び一対の脚回り開口ＬＨ、ＬＨが形成されたパンツ型の状態のおむつ１となる。
【００３０】
このとき、吸収性本体１０の一方側（腹側）の端部、具体的には図２における点ａ、ｂ、ｃ、ｄで囲まれた矩形領域に、腹側部材３が非肌側から重ねられ、腹側接着領域３Ｂで接着固定されている。腹側接着領域３Ｂは、ホットメルト等の接着剤が塗布されて接着固定された領域である。このとき、長手方向において、腹側部材３の下端３ｅｂは、腹側接着領域３Ｂよりも他方側に位置しており、幅方向において、腹側接着領域３Ｂは、吸収性本体１０の側端１０ｅより内側に位置している。つまり、パンツ型の状態において、上下方向において、下端３ｅｄが腹側接着領域３Ｂの下端よりも下方に位置しており、点ａ、ｂ、ｃ、ｄで囲まれた矩形領域のうち、腹側接着領域３Ｂの下端から腹側部材３の下端３ｅｂの間の領域３Ｆには、接着剤が塗布されておらず、腹側部材３と吸収性本体１０が接着されていない領域となっている。また、点ａ、ｂ、ｃ、ｄで囲まれた矩形領域のうち、腹側接着領域３Ｂの側端から吸収性本体１０の側端１０ｅの間の領域３Ｇには、接着剤が塗布されておらず、腹側部材３と吸収性本体１０が接着されていない領域となっている。
【００３１】
同様に、吸収性本体１０の他方側（背側）の端部、具体的には図２における点ｅ、ｆ、ｇ、ｈで囲まれた矩形領域に、背側部材４が非肌側から重ねられ、背側接着領域４Ｂで接着固定されている。背側接着領域４Ｂは、ホットメルト等の接着剤が塗布された領域である。このとき、長手方向において、背側部材の下端４ｅｂは、背側接着領域４Ｂよりも一方側に位置しており、幅方向において、背側接着領域４Ｂは、吸収性本体１０の側端１０ｅより内側に位置している。つまり、パンツ型の状態において、上下方向において、下端４ｅｄが背側接着領域４Ｂの下端よりも下方に位置しており、点ｅ、ｆ、ｇ、ｈで囲まれた矩形領域のうち、背側接着領域４Ｂの下端から背側部材４の下端４ｅｂの間の領域４Ｆに接着剤が塗布されておらず、背側部材４と吸収性本体１０が接着されていない領域となっている。また、点ｅ、ｆ、ｇ、ｈで囲まれた矩形領域のうち、背側接着領域４Ｂの側端から吸収性本体１０の側端１０ｅの間の領域４Ｇには、接着剤が塗布されておらず、背側部材４と吸収性本体１０が接着されていない領域となっている。
【００３２】
さらに、点ａ、ｂ、ｃ、ｄで囲まれた矩形領域のうち、腹側接着領域３Ｂの下端から腹側部材３の下端３ｅｂの間の領域３Ｆには、弾性部材３５ａが配置されておらず、点ｅ、ｆ、ｇ、ｈで囲まれた矩形領域のうち、背側接着領域４Ｂの下端から背側部材４の下端４ｅｂの間の領域４Ｆには、弾性部材４５ａ、４５ｌｇが配置されていない。つまり、弾性部材３５ａは、領域３Ｆより上方（一方側）に配置されており、弾性部材４５ａ、４５ｌｇは、領域４Ｆより上方（他方側）に配置されている。
【００３３】
吸収性本体１０は、尿等の排泄物を吸収する機能を有し、図２に示されるように平面視略長方形をなし、その長手方向をおむつ１の上下方向に沿わせつつ幅方向の中央に配置されている。吸収性本体１０は、液体吸収性の吸収性コア１１と、吸収性コア１１の外周面を被覆するコアラップシート１２を有する。また、吸収性本体１０の幅方向の両側には、防漏壁５０が設けられている。防漏壁５０の詳細については後で説明する。
【００３４】
吸収性コア１１は、パルプ繊維等の液体吸収性繊維を所定形状に成形したものであり、その内部には高吸収性ポリマー（所謂ＳＡＰ）等が混入されている。本実施形態において、吸収性コア１１は平面視略砂時計形状である。コアラップシート１２は、吸収性コア１１の外周面を被覆する液透過性のシート部材であり、ティッシュペーパーや不織布等を使用可能である。
【００３５】
トップシート１３は、吸収性コア１１の厚さ方向の肌側面に配置され、着用時に着用者の肌と当接する液透過性のシート部材である。トップシート１３は、例えば、エアスルー不織布やスパンボンド不織布等によって形成される。
【００３６】
バックシート１４は、吸収性コア１１の厚さ方向の非肌側に配置され、おむつ１の外層の一部を構成する液不透過性のシート部材である。バックシート１４は、例えば樹脂フィルム等によって形成される。
【００３７】
そして、トップシート１３とバックシート１４は、吸収性コア１１から長手方向及び幅方向に突出した部分で接着や溶着等によって互いに接合され、これにより、トップシート１３、バックシート１４同士の間に吸収性コア１１が保持されている。
【００３８】
腹側部材３は、着用者の肌側に位置する肌側シート３１と、着用者の非肌側に位置する非肌側シート３２とが厚さ方向に重ねられている。肌側シート３１と非肌側シート３２は、略同一形状の略矩形形状を有している。また、それぞれ柔軟なシート部材であり、例えば不織布等によって形成される。
【００３９】
腹側部材３には、糸ゴム等の複数の腹側弾性部材３５ａが所定の伸長倍率で幅方向に伸長された状態で肌側シート３１と非肌側シート３２との間に挟まれて接合されている。この腹側弾性部材３５ａによって、おむつ１の腹側部材３に幅方向の伸縮性が付与される。
【００４０】
背側部材４は、着用者の肌側に位置する肌側シート４１と、着用者の非肌側に位置する非肌側部材４２とが厚さ方向に重ねられている。肌側シート４１と非肌側シート４２は、略同一形状で、長手方向の中央部（ＣＬ１０側）が幅方向の内方に向かって幅狭となった幅狭部４０ｃを有している。また、それぞれ柔軟なシート部材であり、例えば不織布等によって形成される。
【００４１】
背側部材４には、糸ゴム等の複数の背側弾性部材４５ａが所定の伸長倍率で幅方向に伸長された状態で肌側シート４１と非肌側シート４２との間に挟まれて接合されている。この背側弾性部材４５ａによって、おむつ１の背側部材４に幅方向の伸縮性が付与される。
【００４２】
また、背側部材４には、背側弾性部材４５ａと同様に、肌側シート４１と非肌側シート４２の厚さ方向の間に、複数の背側脚回り弾性部材４５ｌｇが設けられている。背側脚回り弾性部材４５ｌｇは、背側部材４の長手方向の内側の領域（吸収性コア１１の長手方向の中央寄りの位置）から幅狭部４ｃに沿って湾曲して配置されている。具体的には、背側脚回り弾性部材４５ｌｇは、幅方向の中央部に幅方向に沿った直線部４５ｌｇｓと、直線部４５ｌｇｓの幅方向の両側から幅方向の外側に向かって斜め上方に湾曲した湾曲部４５ｌｇｃと、を有する（図２）。
【００４３】
＜防漏壁５０について＞
次に、防漏壁５０について説明する。防漏壁５０は、吸収性本体１０の幅方向両側において、吸収性本体１０の長手方向（おむつ１の上下方向）に沿って配置され、おむつ１の着用時には吸収性本体１０の側端部から起立して、排泄物がおむつ１の外側に漏出するのを抑制する。図４Ａは、図２中のＡ−Ａ断面図であり、図４Ｂは、図２中のＢ−Ｂ断面図であり、図４Ｃは、図２中のＣ−Ｃ断面図である。図５は、防漏壁５０を展開且つ伸長状態にした吸収性本体１０の平面図である。図６は、図４Ｃの領域Ｄについて説明する図である。なお、図４Ａ〜図４Ｃ、図６では便宜上厚さ方向における縮尺を変えている。
【００４４】
図５に示すように、防漏壁５０は、シート部材５０ｓを長手方向に沿った折り曲げ線ｆ１〜ｆ３にて幅方向に折り畳むことによって形成される。防漏壁５０を形成するシート部材５０ｓは、例えば不織布等、柔軟性を有するシート部材を使用することができる。また、防漏壁５０には、長手方向に沿った伸縮可能な糸ゴム等の複数の防漏壁弾性部材５５が所定の伸長倍率で伸長された状態で防漏壁５０に接合されている。本実施形態においては、防漏壁弾性部材５５１〜５５５が幅方向の外側から内側に向かって並んで配置されている。この複数の防漏壁弾性部材５５によって防漏壁５０に長手方向に沿った伸縮性が付与され、おむつ１着用時に防漏壁５０を起立させる。防漏壁弾性部材５５の数量や配置は図５に示される限りではなく、おむつ１の使用に応じて適宜変更可能である。
【００４５】
図５に示される展開状態において、防漏壁５０（シート部材５０ｓ）の幅方向の内側端部５０ｅｉは、厚さ方向においてコアラップシート１２で被覆された吸収性コア１１とバックシート１４との間に接着固定されている。一方、防漏壁５０（シート部材５０ｓ）の幅方向の外側端部５０ｅоは吸収性本体１０の幅方向外側に張り出している。この状態で、外側端部５０ｅоが折り曲げ線ｆ１を基点として幅方向の内側に折り曲げられ、防漏壁弾性部材５５１〜５５５を間に挟んだ状態でシート部材５０ｓ同士が厚さ方向に重ねられ、互いに接合される。このとき、防漏壁弾性部材５５のうち、幅方向において最も外側の防漏壁弾性部材５５１は、折り曲げ線ｆ１の幅方向位置に揃えて配置されている。
【００４６】
続いて、シート部材５０ｓが折り曲げ線ｆ２を基点として厚さ方向の非肌側かつ幅方向の内側に折り曲げられる。折り曲げ線ｆ２の幅方向位置は、防漏壁弾性部材５５４の幅方向位置とほぼ同じ位置である。続いて、シート部材５０ｓが折り曲げ線ｆ３を基点として厚さ方向の肌側かつ幅方向の内側に折り曲げられる。これにより、図４Ａ〜図４Ｃ及び図６に示されるような略Ｓ字状に折り曲げられた防漏壁５０が形成される。なお、図６の場合、折り曲げ線ｆ３の位置が防漏壁５０を起立させる際の基部５０ｒｐとなる。
【００４７】
防漏壁５０は、シート部材５０ｓが幅方向の一方側から他方側へ折り返されることにより、厚さ方向の最も肌側に肌側部５１が形成されている。肌側部５１には、折り曲げ線ｆ１と折り曲げ線ｆ２との間に防漏壁弾性部材５５１〜５５４が設けられている。また、肌側部５１の厚さ方向の非肌側には非肌側部５２が形成されている。非肌側部５２には、折り曲げ線ｆ２と折り曲げ線ｆ３との間に防漏壁弾性部材５５４、５５５が設けられている。なお、防漏壁弾性部材５５４は幅方向について折り曲げ線ｆ２とほぼ同じ位置に配置されていることから、肌側部５１及び非肌側部５２の両方に設けられているものとする。
【００４８】
そして、防漏壁５０では、肌側部５１と非肌側部５２との互いに対向する対向面同士の一部が接合されて、摘み接合部６１が設けられている。以下、防漏壁５０において、摘み接合部６１、及び摘み接合部６１が形成されている部分よりも幅方向の内側の領域を、折り込み部５３とも呼ぶ。本実施形態では、肌側部５１（非肌側部５２）の幅方向内側の領域に、図６の左斜め下がり斜線部で示される摘み接合部６１が設けられ、折り込み部５３が形成されている。なお、摘み接合部６１はホットメルト接着剤等の接着剤を用いた接着手段や、エンボス加工等の圧着手段を用いて形成されている。摘み接合部６１は、幅方向において、防漏壁５０の先端より内側（幅方向の中央側）に設けられており、摘み接合部６１が設けられていない防漏壁５０の先端部（幅方向の外側）は、肌側部５１と非肌側部５２とが接合されていない。以下、肌側部５１のうち、肌側部５１と非肌側部５２とが接合されていない領域を肌側単独部５４とも呼ぶ。
【００４９】
摘み接合部６１の長手方向の外側の領域には、摘み接合部６１が設けられていない。すなわち、防漏壁５０のうちの、長手方向において摘み接合部６１よりも一端側の領域及び他方側の領域は、防漏壁５０（シート部材５０ｓ）の厚さ方向の対向面同士が接合されていない非接合部６２を有する。この非接合部６２では、図４Ｂに示されるように防漏壁５０の肌側部５１と非肌側部５２が接合されていないため、折り込み部５３は形成されておらず、肌側部５１の幅方向の全領域が肌側単独部５４となる。
【００５０】
また、防漏壁５０の長手方向の両端部には、エンド接合部６３が設けられている。エンド接合部６３では、防漏壁５０の肌側部５１と非肌側部５２とが接合されると共に、非肌側部５２とトップシート１３とが接合されている（図４Ａ等）。これにより、防漏壁５０の長手方向の端部において肌側部５１及び非肌側部５２がトップシート１３に固定される。
【００５１】
摘み接合部６１の一部は、上下方向において背側部材４と重なっている。つまり、図２に示すように、摘み接合部６１の他方側の端部は、背側部材４の下端４ｅｂより他方側（上側）に位置している。このとき、摘み接合部６１は、背側脚回り弾性部材４５ｌｇ（直線部４５ｌｇｓ）と交差しており、背側脚回り弾性部材４５ｌｇとも上下方向において重なっている。
【００５２】
この防露壁５０を用いることで、股間部に隙間が生じることを抑制することができる。図７Ａは、排泄が行われる前のおむつ１の着用状態について説明する図である。図７Ｂは、排泄が行われた後のおむつ１の着用状態について説明する図である。
【００５３】
図７Ａに示すように、おむつ１の着用状態では、防漏壁５０のうち、肌側に配置された肌側部５１が着用者の身体と当接する。すなわち、肌側部５１の全体が着用者の身体に対して面接触するように配置される。摘み接合部６１は、肌側部５１と非肌側部５２とが積層された状態で接合されていることにより剛性が高くなっている。そのため、防漏壁弾性部材５５４、５５５による収縮力が作用すると、肌側部５１は面形状を維持したまま、着用者の身体にしっかりと押し当てられる。防漏壁弾性部材５５５が収縮することにより非肌側部５２と肌側部５１とが同時に着用者の肌側に押し上げられるため、折り込み部５３が面形状を維持した状態で着用者の肌と当接（面接触）しやすくなる。一方、肌側部５１のうち肌側単独部５４は、折り込み部５３よりも剛性が低いため自由に変形しやすい。そのため、肌側単独部５４に配置された防漏壁弾性部材５５１〜５５３による収縮力が作用すると、肌側単独部５４は身体の凹凸に応じた曲面を形成しながら着用者の肌側に押し当てられる。これにより、防漏壁５０の肌側部５１の全体を着用者の身体に面でピタッとフィットさせることができる。
【００５４】
＜＜＜本実施形態に係るおむつ１の有効性について＞＞＞
まず、比較例として従来型の防漏壁１５０を有するパンツ型使い捨ておむつ１００（以下、「おむつ１００」とも呼ぶ）を着用する際に生じる問題について説明する。図８Ａは、排泄が行われる前のおむつ１００（比較例）の着用状態について説明する図である。図８Ｂは、排泄が行われた後のおむつ１００（比較例）の着用状態について説明する図である。
【００５５】
比較例のおむつ１００の基本的な構造は、本実施形態のおむつ１とほぼ同様であるが、おむつ１００の防漏壁の摘み接合部１６１は腹側部材３とも背側部材４とも上下方向（長手方向）において、重なっていない点が異なっている。吸収性本体１１０（吸収性コア１１１）の幅方向の両端部に一対の防漏壁１５０が設けられ、防漏壁１５０には、糸ゴム等の弾性部材１５５が複数（図８Ａにおける弾性部材１５５１〜１５５５）備えられており、弾性部材１５５による収縮力が作用することによって、防漏壁１５０が上方に起立する。おむつ１００の着用状態では、図８Ａに示されるように弾性部材１５５１〜１５５５によって防漏壁１５０の肌側部１５１が面形状を形成し、肌側単独部１５４が着用者の身体に応じた曲面を形成しながら着用者の肌側に押し当てられる。
【００５６】
この状態で、排泄が行われると、吸収性コア１１１が尿等を吸収して重量が重くなり、各防漏壁弾性部材１５５が下方に引っ張られて伸長する。これにより、平面状に当接していた肌側部１５１と、着用者の肌との間に隙間が生じてしまう。つまり、図８Ｂに示すように、肌側部１５１のうち、防漏壁１５５２、１５５３、１５５４が、吸収性コア１１１の重さにより下方へ伸長して、防漏壁１５５２、１５５３、１５５４が設けられた部分と着用者の肌との間に隙間が生じることになる。このように、排泄が行われる前の、着用者の身体に当接していた面形状が変形して、股間部に隙間が生じ、排泄物が外部に漏出してしまう恐れがある。
【００５７】
一方、本実施形態のおむつ１は、防漏壁５０に設けられた肌側部５１と非肌側部５２の幅方向の内側の側部の対向面が接合された摘み接合部６１と、摘み接合部６１よりも上方に、非接合部６２を有しており、上下方向において、摘み接合部６１の一部が背側部材４と重なっている。つまり、図２に示すように、摘み接合部６１の他方側の端部は、背側部材４と重なっている。そのため、摘み接合部６１と背側部材４とが重なっている部分は、背側部材４が防漏壁５０の肌側部５１と非肌側部５２を肌側へ押し当てる方向へ力が働くため、肌側部５１の平面状を維持しやすくなる。つまり、従来（図８Ａ、図８Ｂ）のおむつ１００は、摘み接合部６１と背側部材４（又は腹側部材３）とが重ねられていないため、防漏壁１５０の肌側部１５１を着用者の肌に当接させた平面状態を防漏壁弾性部材１５５のみによって維持していたが、本実施形態のおむつ１においては、弾性部材５５のみならず背側部材４によっても、肌側部５１を肌に当接させる平面状態を維持している（図７Ｂ）。背側部材４の弾性部材４５ａ、４５ｌｇの収縮によって、肌側部５１及び非肌側部６１を含めた吸収性本体１０がより肌側へ押し付けられる。つまり、弾性部材４５ａ、４５ｌｇを有する背側部材４によって、非肌側から背側部材４が重なった非肌側部５２が、肌側部５１を肌側へ押し付ける力が働くため、肌側部５１を着用者の肌側に当接された平面状態を維持しやすくなる。その結果、おむつ１と着用者の身体との隙間を作りにくくして、排泄物が外部に漏れてしまう恐れを軽減することができる。
【００５８】
なお、おむつ１は、上下方向において、摘み接合部６１の一部が背側部材４と重なっていることにしたが、これに限られない。上下方向において、摘み接合部６１と腹側部材３とが重なっていてもよい。摘み接合部６１と腹側部材３とが重なっている場合においても、背側部材４と同様に、防漏壁５０（肌側部５１）の平面状の部分を維持しやすくして、おむつ１と着用者の身体との隙間を作りにくくすることができる。
【００５９】
さらに、摘み接合部６１の一方側の端部及び他方側の端部が腹側部材３と背側部材４とそれぞれ重なっていることがより好ましい。これにより、摘み接合部６１と重ねられた背側部材３又は腹側部材４が、防漏壁５０の肌側部５１及び非肌側部５２をより肌側に押し当てることができるため、防漏壁５０（肌側部５１）の平面状の部分をより維持しやすくなる。
【００６０】
摘み接合部６１の一方側の端部及び他方側の端部が腹側部材３と背側部材４とそれぞれ重なっている場合、上下方向（長手方向）において、摘み接合部６１と腹側部材３が重なっている領域の長さより、摘み接合部６１と背側部材４が重なっている領域の長さの方が長いことがより好ましい。通常、おむつ１のような使い捨ておむつは、臀部を覆う必要がある背側部材４の方が腹側部材３より上下方向の長さが長い。そのため、上下方向における、摘み接合部６１と腹側部材３が重なっている領域の長さより、摘み接合部６１と背側部材４が重なっている領域の長さの方が長くすることで、防漏壁５０（肌側部５１）の平面状の部分をより維持しやすくし、おむつ１と着用者の身体との隙間をより作りにくくすることができる。
【００６１】
さらに、本実施形態のおむつ１は、吸収性本体１０が腹側部材３及び背側部材４より肌側に設けられており、吸収性本体１０の一方側の端部（点ａ、ｂ、ｃ、ｄで囲まれた領域）に、吸収性本体１０と腹側部材３とを接着する腹側接着領域３Ｂを有し、吸収性本体１０の他方側の端部（点ｅ、ｆ、ｇ、ｈで囲まれた領域）に吸収性本体１０と背側部材４とを接着する背側接着領域４Ｂを有している。そして、腹側部材３の下端３ｅｂは腹側接着領域３Ｂよりも下方に位置しており、背側部材４の下端４ｅｂは背側接着領域４Ｂよりも下方に位置している。つまり、図３Ａ、図３Ｂに示すように、点ａ、ｂ、ｃ、ｄで囲まれた領域のうち、腹側部材３の下端３ｅｂと腹側接着領域３Ｂとの間の領域３Ｆには接着剤が塗布されず、腹側部材３と吸収性本体１０とが接着されていない領域となっており、点ｅ、ｆ、ｇ、ｈで囲まれた領域で囲まれた領域のうち、背側部材４の下端４ｅｂと背側接着領域４Ｂとの間の領域４Ｆには接着剤が塗布されず、背側部材４と吸収性本体１０とが接着されていない領域となっている。
【００６２】
図９Ａは、着用状態におけるおむつ１の幅方向の腹側中央断面の一部を説明する図である。図９Ｂは、着用状態におけるおむつ１の幅方向の背側中央断面の一部を説明する図である。図９Ａに示すように、着用者がおむつ１を着用し、さらに衣服を着用すると、衣服と接触した腹側部材３の領域３Ｆの部分が上方に折り返されることがある。図９Ｂに示すように、衣服と接触した背側部材４の領域４Ｆの部分が上方に折り返されることがある。このように、腹側部材３（背側部材４）のうち吸収性本体１０と接着されていない領域３Ｆ（領域４Ｆ）が上方へ折り返されて、着用者の腹部（背部）と衣服との間に挟まれた場合、領域３Ｆ（領域４Ｆ）の部分が吸収性本体１０と腹側部材３（背側部材４）と接着した場合よりも、折り返された部分（領域３Ｆ、４Ｆ）による衣服への引っかかりが生じやすくなるため、吸収性本体１０が重くなった場合でも、領域３Ｆ（領域４Ｆ）の部分が吸収性本体１０と腹側部材３（背側部材４）と接着した場合よりも、おむつ１を下方に垂れ下がりにくくし、防漏壁５０の平面状の部分と身体との間に隙間が生じる恐れをより軽減することができる。
【００６３】
なお、本実施形態のおむつ１においては、腹側部材３の下端３ｅｂが腹側接着領域３Ｂよりも下方に位置し、かつ、背側部材４の下端４ｅｂが背側接着領域４Ｂよりも下方に位置していることにしたが、これに限られない。いずれか一方のみに当てはまるものであってもよい。但し、腹側部材３の下端３ｅｂが腹側接着領域３Ｂよりも下方に位置し、かつ、背側部材４の下端４ｅｂが背側接着領域４Ｂよりも下方に位置していることによって、よりおむつ１が下方に垂れ下がることを抑制することができる。
【００６４】
さらに、本実施形態のおむつ１においては、上下方向において、腹側接着領域３Ｂの下端から腹側部材３の下端３ｅｂまでの領域３Ｆには、弾性部材３５ａが配置されておらず、背側接着領域４Ｂの下端から背側部材４の下端４ｅｂまでの領域４Ｆには、弾性部材４５ａ、４５ｌｇが配置されていない。これにより、着用時において、衣服によって折り返される領域３Ｆの腹側部材３及び領域４Ｆの背側部材４が、弾性部材３５ａ、４５ａ、４５ｌｇによって幅方向に収縮されてしまう恐れを軽減することができるため、おむつ１が下方に垂れ下がる恐れをより軽減することができる。
【００６５】
さらに、本実施形態のおむつ１においては、幅方向において、腹側接着領域３Ｂが、吸収性本体１０の両側端１０ｅより内側に位置しており、背側接着領域４Ｂが、吸収性本体１０の両側端１０ｅより内側に位置している。これによって、幅方向における、吸収性本体１０と腹側部材３（背側部材４）とが接着した領域をより狭くすることができ、脚回り開口ＬＨにおける、着用者の脚の可動範囲をより広くすることができる。つまり、幅方向において、腹側部材３（背側部材４）と吸収性本体１０との接着領域が広いほど、腹側部材３（背側部材４）がより強固に吸収性本体１０を支持することができる一方で、脚回り開口ＬＨが狭くなってしまい、着用者は脚を動かすことができる範囲が狭められてしまう恐れを生じる。そのため、おむつ１においては、幅方向において、腹側接着領域３Ｂ（背側接着領域４Ｂ）を、吸収性本体１０の両側端１０ｅより内側に設けることで、排泄物を吸収して重くなった吸収性本体１０を支持しつつ、脚回り開口ＬＨをより広く開口することができ、着用者の脚の可動域をより広くすることができる。
【００６６】
なお、本実施形態においては、幅方向において、腹側接着領域３Ｂが、吸収性本体１０の両側端１０ｅより内側に位置し、かつ、背側接着領域４Ｂが、吸収性本体１０の両側端１０ｅより内側に位置したが、これに限られない。幅方向において、腹側接着領域３Ｂのみが両側端１０ｅより内側に位置してもよく、背側接着領域４Ｂのみが両側端１０ｅより内側に位置してもよい。ただし、腹側接着領域３Ｂ及び背側接着領域４Ｂの両方が、吸収性本体１０の両側端１０ｅより内側に位置することで、着用者の脚回りの可動域をより広くすることができる。
【００６７】
＝＝＝第２実施形態＝＝＝
＜おむつ２の基本構成＞
次に、本発明の第２実施形態に係るおむつ２の構成について、図１０を参照して説明する。図１０は、第２実施形態のおむつ２の展開且つ伸長状態の平面図である。図１０において、第１実施形態にかかるおむつ１の構成において説明したものと共通するものについては、同一の符号を付してその説明を省略する。
【００６８】
本実施形態に係るおむつ２は、おむつ１と同様に、腹側部材３、背側部材４、吸収性本体１０を有するパンツ型の使い捨ておむつである。吸収性本体１０の一方側（腹側）の端部（点ａ、ｂ、ｃ、ｄで囲まれた矩形領域）には、腹側部材３が非肌側から重ねられて、腹側接着領域（不図示）で接着固定され、他方側（背側）の端部（点ｅ、ｆ、ｇ、ｈで囲まれた矩形領域）には、背側部材４が非肌側から重ねられて、背側接着領域（不図示）で接着固定されている。
【００６９】
吸収性本体１０の一方側の端部（点ａ、ｂ、ｃ、ｄで囲まれた矩形領域）には、吸収性本体１０を厚み方向に圧搾することによって、吸収性本体１０の下部（長手方向における中央部）より剛性が高くなった高剛性領域３Ｅが設けられている。高剛性領域３Ｅは、弾性部材３５ａの収縮によって吸収性本体１０の一方側の端部が幅方向の内側に縮められる恐れを軽減している。
【００７０】
同様に、吸収性本体１０の他方側の端部（点ｅ、ｆ、ｇ、ｈで囲まれた矩形領域）には、吸収性本体１０を厚み方向に圧搾することによって、吸収性本体１０の下部（長手方向における中央部）より剛性が高くなった高剛性領域４Ｅが設けられている。高剛性領域４Ｅは、弾性部材４５ａの収縮によって吸収性本体１０の他方側の端部が幅方向の内側に縮められる恐れを軽減している。
【００７１】
おむつ２は、図１０に示す展開状態から、吸収性本体１０の長手方向（上下方向）の所定位置ＣＬ１０を折り位置として吸収性本体１０を二つ折り状態にし、互いに対向する腹側部材３及び背側部材４の、側端部３ｅｓ及び側端部４ｅｓで溶着接合して、胴回り開口ＢＨ（不図示）、及び一対の脚回り開口ＬＨ、ＬＨ（不図示）が形成されたパンツ型状態のおむつ２となる。
【００７２】
腹側部材３は、略矩形形状の肌側シート３１と非肌側シート３２が厚さ方向に重ねられ、肌側シート３１と非肌側シートの間に、糸ゴム等の弾性部材３５ａが挟まれて接合されている。
【００７３】
背側部材４は、長手方向の中央部（ＣＬ１０側）が幅方向の内方に向かって幅狭となっている幅狭部４ｃを有した略同一形状の肌側シート４１と非肌側シート４２が厚さ方向に重ねられている。肌側シート４１と非肌側シートの間に、糸ゴム等の弾性部材４５ａが挟まれて接合されている。弾性部材４５ａと同様に、肌側シート４１と非肌側シート４２の間に、複数の背側脚回り弾性部材４５ｌｇｃが、背側部材４の長手方向の内側の領域（吸収性コア１１の長手方向の中央寄りの位置）から幅狭部４ｃに沿って、幅方向の外側に向かって斜め上方に湾曲して配置されている。なお、おむつ２においては、背側脚回り弾性部材４５ｌｇのうち、おむつ１の幅方向に沿った直線部４５ｌｇｓを有していない。
【００７４】
吸収性本体１０は、吸収性コア１１、コアラップシート１２、トップシート１３、バックシート１４を備え、一対の防漏壁５０が設けられている。おむつ２の吸収性コア１１は、平面視略矩形形状であり、ＳＡＰ等が混入されたパルプ繊維等の液体吸収性繊維を成形したものである。
【００７５】
防漏壁５０は、おむつ１と同様に、吸収性本体１０の長手方向に沿って配置され、おむつ２の着用時には吸収性本体の側端部から起立して、排泄物がおむつ２の外側に漏出するのを抑制する。防漏壁５０は、長手方向に防漏壁弾性部材５５を複数有しており、おむつ２の着用時に防漏壁を起立させる。また、シート部材（防漏壁５０）の折り返しにより、肌側部（不図示）と非肌側部（不図示）が設けられ、肌側部と非肌側部との互いに対向する対向面同士の一部が接合された摘み接合部６１と、肌側部と非肌側部の対向面同士が接合されていない非接合部６２が設けられている。
【００７６】
おむつ２は、上下方向において、摘み接合部６１より上側（腹側及び背側）に、それぞれ非接合部６２が設けられ、摘み接合部６１の一部が背側部材４と重なっている。
【００７７】
このとき、他方側（背側）の非接合部６２の一部は、背側部材４の幅方向に沿った弾性部材４５ａのうち、最も下方に位置する弾性部材４５ａよりも下方（長手方向の中央側）に位置している。つまり、図１０に示すように、摘み接合部６１は弾性部材４５ａと重なっておらず、また、おむつ１のような背側脚回り弾性部材４５ｌｇの直線部４５ｌｇｓも有していないため、幅方向に沿った弾性部材と摘み接合部６１は重なっていない。そのため、背側の摘み接合部６１は、弾性部材によって幅方向へ収縮される恐れを軽減し、着用者の身体に当接させる防漏壁５０の平面状の部分をより維持しやすくすることができる。
【００７８】
さらに、おむつ２においては、上下方向において、摘み接合部６１の背側の端部と高剛性領域４Ｅの一部が重なっている。つまり、高剛性領域４Ｅの一部の両側に摘み接合部６１の一部が設けられている。高剛性領域４Ｅは、圧搾によって剛性が高くなっているので、圧搾を行っていない領域（吸収性本体１０の長手方向の中央部）より変形しづらい領域となっている。そのため、上下方向において、剛性の高い高剛性領域４Ｅの一部と重なった摘み接合部６１の部分が、高剛性領域４Ｅによって、変形しづらい状態となるため、弾性部材４５ａ、４５ｌｇによる幅方向への収縮によって防漏壁５０の肌側部５１の平面状部分が変形してしまうことを抑制し、着用者に身体に当接させる平面状態を維持しやすくできる。
【００７９】
なお、おむつ２においては、腹側部材３と背側部材４の両方に高剛性領域３Ｅ、４Ｅを設けたが、高剛性領域３Ｅだけでも、高剛性領域４Ｅだけでもよい。このとき、上下方向において、高剛性領域３Ｅ及び高剛性領域４Ｅと摘み接合部６１の一部が重なっていてもよく、いずれか一方の高剛性領域と摘み接合部６１の一部が重なるものであってもよい。なお、高剛性領域を腹側部材３及び背側部材４の両方に設けることで、防漏壁５０の平面状の部分が変形される恐れをより軽減させることができ、さらに、摘み接合部６１の一部が高剛性領域３Ｅ、４Ｅの両方と重なることで、より一層防漏壁５０の平面状の部分を維持しやすくすることができる。
【００８０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００８１】
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【符号の説明】
【００８２】
１、２  おむつ（パンツ型使い捨ておむつ）、３  腹側部材、３ｅｓ  側端部、３ｅｂ  下端、３１  肌側シート、３２  非肌側シート、３Ｂ  腹側接着領域、３Ｅ  高剛性領域、３Ｆ  領域、４  背側部材、４ｅｓ  側端部、４ｅｂ  下端、４ｃ  幅狭部、４１  肌側シート、４２  非肌側シート、４Ｂ  背側接着領域、４Ｅ  高剛性領域、４Ｆ  領域、１０  吸収性本体、１０ｅ  側端、１１  吸収性コア、１２  コアラップシート、１３  トップシート、１４  バックシート、３５ａ  腹側弾性部材、４５ｂ  背側弾性部材、４５ｌｇ  背側脚回り弾性部材、４５ｌｇｓ  直線部、４５ｌｇｃ  湾曲部、５０  防漏壁、５０ｓ  シート部材、５０ｅｉ  内側端部、５０ｅо  外側端部、５０ｒｐ  基部、５１  肌側部、５２  非肌側部、５３  折り込み部、５４  肌側単独部、５５  防漏壁弾性部材、５５１〜５５５  防漏壁弾性部材、６１  摘み接合部（接合部）、６２  非接合部、６３  エンド接合部、１００  おむつ（比較例）、１１０  吸収性本体、１１１  吸収性コア、１５０  防漏壁、１５５  弾性部材、１５５１〜１５５５  弾性部材、ｆ１、ｆ２ｌ、ｆ３  折り曲げ線、ＢＨ  胴回り開口、ＬＨ  脚回り開口、ＣＬ１０  中央位置
【図１】
2017217136.tif 000003
【図２】
2017217136.tif 000004
【図３】
2017217136.tif 000005
【図４】
2017217136.tif 000006
【図５】
2017217136.tif 000007
【図６】
2017217136.tif 000008
【図７】
2017217136.tif 000009
【図８】
2017217136.tif 000010
【図９】
2017217136.tif 000011
【図１０】
2017217136.tif 000012